(57)【要約】【課題】  断熱性や防音性に優れ、不燃性で、軽量で、運搬しやすく、施工が簡単で、製造が容易で、安価に製造でき、多くの用途に用いることができ、環境に無害で、廃棄が容易で、リサイクルが容易なセラミック被覆断熱体を提供する。【解決手段】  主成分が二酸化ケイ素で内部に気泡を有する軽量な石塊状固体２の全表面に、非結晶シリカ微粒子を多数有する塗料型断熱材の被膜３〜５を複数層設けたことを特徴とするセラミック被覆断熱体。【選択図】        図１
2005132674.tif 000002
【特許請求の範囲】
【請求項１】
主成分が二酸化ケイ素で内部に気泡を有する軽量な石塊状固体の全表面に、非結晶シリカ微粒子を多数有する塗料型断熱材の被膜を複数層設けた、
ことを特徴とするセラミック被覆断熱体。
【請求項２】
上記石塊状固体が軽石の岩石を砕いて作った水に浮く軽量な石塊であり、上記塗料型断熱材の被膜がセラミック・カバーＣＣ１００の塗料膜である、
ことを特徴とする請求項１に記載されたセラミック被覆断熱体。
【請求項３】
上記塗料型断熱材の最外層の被膜をトップコートで覆った、
ことを特徴とする請求項１または２に記載されたセラミック被覆断熱体。
【請求項４】
上記セラミック被覆断熱体が大きさ及び形状が不規則な石塊状の断熱体であり、これら複数の断熱体を網目状袋体に収納して全体として座布団状の集合セラミック被覆断熱体になるように構成した、
ことを特徴とする請求項１〜３のいずれかに記載されたセラミック被覆断熱体。
【請求項５】
上記網目状袋体の全表面に、非結晶シリカ微粒子を多数有する塗料型断熱材の被膜を複数層設けた、
ことを特徴とする請求項４に記載されたセラミック被覆断熱体。
【請求項６】
上記座布団状の集合セラミック被覆断熱体を構成する上記網目状袋体を、上下２枚の矩形状の網とその周囲部を閉じる複数の固定具とで構成し、
該周囲部を除く該２枚の矩形状の網の間に上記大きさ及び形状が不規則な複数のセラミック被覆断熱体を収納し、
網が２枚平面状に重なって固定された状態の上記周囲部を、上記座布団状の集合セラミック被覆断熱体を互いに連結したり、上記座布団状の集合セラミック被覆断熱体を紐で吊り下げたりするための連結部として利用できるようにした、
ことを特徴とする請求項４または５に記載されたセラミック被覆断熱体。
【請求項７】
上記矩形状の網の周囲部を網目を密にしてその強度を増強した、
ことを特徴とする請求項６に記載されたセラミック被覆断熱体。
【発明の詳細な説明】
【技術分野】
【０００１】
本発明は、断熱体として多くの用途に用いることができるセラミック被覆断熱体に関するものである。
【背景技術】
【０００２】
塗料型断熱材であるセラミック・カバーＣＣ１００（登録商標）を屋根壁材に塗布したものは従来公知（例えば、特許文献１参照）である。
該セラミックカバー・ＣＣ１００は、米国航空宇宙局（ＮＡＳＡ）で研究開発され、米国・ジョジア州のＥＮＶＩＲＯＴＲＯＬ，ＩＮＫ．で製造され、日本でアクアダンネツ株式会社により販売されている非結晶シリカ微粒子を多数含む塗料型断熱材の塗料であり、該塗料は、水溶性で希釈可能であり、原色は白であるが着色剤を混入することにより着色可能であり、熱反射率９９．６１％、熱伝導率０．０１５９Kcal/mh℃という並はずれた断熱特性に加え、優れた粘着性、防錆性、防水性、耐薬品性、防カビ性、大きな衝撃抵抗及び摩擦抵抗を有し、不燃性であり、塩分の影響を受けることがなく、有害成分を含まない。
【０００３】
しかし、上記従来公知の屋根壁材は、屋根壁材の表裏いずれか１面にセラミック・カバーＣＣ１００を塗布（０．５ｍｍ厚）しているため断熱効果を有するが、屋根壁材そのものが断熱材でないために断熱性能に限度があり、また、屋根壁材としてプラスチックや木材等の可燃性の材質が用いられているため、セラミックカバー・ＣＣ１００の塗膜が不燃性であっても屋根壁材が燃えてしまうという問題があった。
【０００４】
本発明者は、内部に気泡を有する軽量な石塊状固体の全表面に塗料型断熱材であるセラミックカバー・ＣＣ１００の被膜を形成すれば、石塊状固体の全表面が塗料型断熱材の被膜で覆われて石塊状固体内の気泡の空気が逃げないために石塊状固体内の気泡による断熱効果と塗料型断熱材による断熱効果の総和以上の断熱効果になることを見いだし、また、軽石等の主成分が二酸化ケイ素で内部に気泡を有する軽量な石塊状固体は不燃性で防音性があること、該石塊状固体の表面に非結晶シリカ微粒子を多数含む塗料型断熱材の塗料であるセラミックカバー・ＣＣ１００を塗布して非結晶シリカ微粒子によるセラミックの断熱被膜層を形成すれば不燃性で防音性があるセラミック被覆断熱体になることを見いだし、本発明に至ったものである。
【特許文献１】登録実用新案第３０８８８７２号公報
【発明の開示】
【発明が解決しようとする課題】
【０００５】
本発明の課題は、断熱性や防音性に優れ、不燃性で、軽量で、運搬しやすく、施工が簡単で、製造が容易で、安価に製造でき、多くの用途に用いることができるセラミック被覆断熱体を提供することにある。
本発明の他の課題は、環境に無害で、廃棄が容易で、リサイクルが容易なセラミック被覆断熱体を提供することにある。
また、本発明の他の課題は、水に浮くことができ、着色可能で、防錆性、防水性、耐薬品性、防カビ性、耐久性に優れたセラミック被覆断熱体を提供することにある。
また、本発明の他の課題は、複数の石塊状のセラミック被覆断熱体をひとまとめにして取り扱うことができる集合セラミック被覆断熱体を提供することにある。
【課題を解決するための手段】
【０００６】
上記課題を解決するため、本発明のセラミック被覆断熱体は、主成分が二酸化ケイ素で内部に気泡を有する軽量な石塊状固体の全表面に、非結晶シリカ微粒子を多数有する塗料型断熱材の被膜を複数層設けたことを特徴とするものである。
上記構成を有するセラミック被覆断熱体は、上記石塊状固体が軽石の岩石を砕いて作った水に浮く軽量な石塊であり、上記塗料型断熱材の被膜がセラミック・カバーＣＣ１００の塗料膜であるのが適しており、また、上記塗料型断熱材の最外層の被膜がトップコートで覆われているのが好ましい。
【０００７】
また、上記構成を有するセラミック被覆断熱体は、上記セラミック被覆断熱体が大きさ及び形状が不規則な石塊状の断熱体であり、これら複数の断熱体を網目状袋体に収納して全体として座布団状の集合セラミック被覆断熱体になるように構成することができ、この場合、上記網目状袋体の全表面に、非結晶シリカ微粒子を多数有する塗料型断熱材の被膜を複数層設けるのが適している。
【０００８】
また、上記構成を有するセラミック被覆断熱体は、上記座布団状の集合セラミック被覆断熱体を構成する上記網目状袋体を、上下２枚の矩形状の網とその周囲部を閉じる複数の固定具とで構成し、該周囲部を除く該２枚の矩形状の網の間に上記大きさ及び形状が不規則な複数のセラミック被覆断熱体を収納し、網が２枚平面状に重なって固定された状態の上記周囲部を、上記座布団状の集合セラミック被覆断熱体を互いに連結したり、上記座布団状の集合セラミック被覆断熱体を紐で吊り下げたりするための連結部として利用できるようにするのが適しており、また、上記矩形状の網の周囲部を網目を密にしてその強度を増強するのが好ましい。
【０００９】
上記セラミック被覆断熱体は、塗料型断熱材の被膜が形成される石塊状固体が主成分が二酸化ケイ素で内部に気泡を有する軽量な固体であるために不燃性であると共に防音性や断熱性に優れているが、該石塊状固体の全表面に非結晶シリカ微粒子を多数有する塗料型断熱材の被膜を複数層形成すると、該石塊状固体の全表面が塗料型断熱材の被膜で覆われて石塊状固体内の気泡の空気が逃げないため、該石塊状固体の断熱効果と該塗料型断熱材の被膜による断熱効果とを寄せ集めた以上の断熱効果を奏することができる。
また、上記セラミック被覆断熱体は、主成分が二酸化ケイ素で内部に気泡を有する軽量な石塊状固体の全表面に、非結晶シリカ微粒子を多数有する塗料型断熱材の被膜を複数層設けたシンプルな構造であるため、製造が容易で、安価に製造できる。
【００１０】
また、上記セラミック被覆断熱体は、軽量な石塊状固体であるため、袋等に入れて簡単に現場まで運搬することができ、現場で該セラミック被覆断熱体で覆いたい箇所に敷設するだけなので、誰でも簡単に施工することができる。
また、上記セラミック被覆断熱体は多くの用途に用いることができ、例えば、建物の屋上や床や床下等の断熱性や不燃性や防音性を必要とする箇所に用いたり、植木鉢、果樹園、公園等における植物の周りに敷設して霜防止や水不足解消に役立てたり、浄水施設、池、ダム、養魚場、油タンク等の断熱や不燃性や水に浮く性質を必要とする箇所に用いたりすることができる。
【００１１】
また、上記構成を有するセラミック被覆断熱体は、主成分が二酸化ケイ素で内部に気泡を有する軽量な石塊状固体が非結晶シリカ微粒子を多数有する塗料型断熱材の被膜であるセラミック・カバーＣＣ１００の塗料膜で覆われているため、着色可能で、防錆性、防水性、耐薬品性、防カビ性、耐久性に優れている。
また、上記セラミック被覆断熱体は、石塊状固体の主成分が自然界にある岩石の主成分と同じ二酸化ケイ素であり、また、上記塗料型断熱材の被膜は有害成分を含まないので、環境に無害で廃棄が容易である。
また、上記セラミック被覆断熱体は古くなったら上記塗料型断熱材を再度塗布することで簡単にリサイクルすることができる。
【００１２】
また、上記セラミック被覆断熱体が大きさ及び形状が不規則な石塊状の断熱体であり、これら複数の断熱体を網目状袋体に収納して全体として座布団状の集合セラミック被覆断熱体になるように構成した場合には、複数の石塊状のセラミック被覆断熱体を集合セラミック被覆断熱体としてひとまとめにして取り扱うことができ、建築資材、防火資材、植物の周りに敷設する資材等の多くの用途に用いることができる。
【発明の効果】
【００１３】
以上に詳述したように、本発明のセラミック被覆断熱体よれば、断熱性能に優れ、不燃性で、軽量で、運搬しやすく、施工が簡単で、製造が容易で、安価に製造でき、多くの用途に用いることができるセラミック被覆断熱体を提供することができる。
また、本発明のセラミック被覆断熱体よれば、環境に無害で、廃棄が容易で、リサイクルが可能で、水に浮くことができ、着色可能で、防錆性、防水性、耐薬品性、防カビ性、防音性、耐久性に優れたセラミック被覆断熱体を提供することができる。
また、本発明のセラミック被覆断熱体よれば、複数の石塊状のセラミック被覆断熱体をひとまとめにして取り扱うことができる集合セラミック被覆断熱体を提供することができる。
【発明を実施するための最良の形態】
【００１４】
図１は、本発明に係るセラミック被覆断熱体の一実施例を概念的に示す断面図であり、該セラミック被覆断熱体１は、主成分が二酸化ケイ素で内部に気泡を有する軽量な石塊状固体２の全表面に、非結晶シリカ微粒子を多数有する塗料型断熱材の被膜３〜５が複数層設けられている。
更に詳述すると、上記塗料型断熱材の被膜は上述のセラミック・カバーＣＣ１００の塗料膜であり、上記主成分が二酸化ケイ素で内部に気泡を有する軽量な石塊状固体２としては石塊状の天然の軽石を用いているが、必ずしも天然の軽石に限定される必要はなく、主成分が二酸化ケイ素で内部に気泡を有する軽量な石塊状固体であれば人工的なものでもよい。
【００１５】
天然の軽石は、白色から灰白色をした非常に多孔質の溶岩であり、平均比重が０．５ほどの水に浮く軽さで、主成分が二酸化ケイ素で、断熱性や防音性に優れ、不燃性であるため、本発明に用いる内部に気泡を有する軽量な石塊状固体として適しているが、主成分が二酸化ケイ素である天然の岩石や発泡剤や結合材等を原料として人工的に気泡を有する軽量な石塊状固体を製造してもよい。
また、廃棄物として捨てられた主成分が二酸化ケイ素である発泡コンクリートを砕いて適宜な大きさの石塊状固体とし、上記石塊状固体として再利用してもよい。
【００１６】
人工的に上記石塊状固体を製造する場合には、型成形により好みの形状の石塊状固体を製造したり、原料の成分や発泡剤の量を変更することにより好みの比重の石塊状固体（例えば、軽量であるが水よりも比重が大きい石塊状固体）を製造することができる。
しかし、製造コストの点では、天然の軽石の岩石を砕いて適宜な大きさの石塊状固体にしたものや、上記廃棄物として捨てられた発泡コンクリートを再利用したものが有利である。
また、天然の石塊状の軽石は市販されているので、これを購入して上記石塊状固体２として用いてもよい。
また、上記セラミック被覆断熱体１は大きさ及び形状が不規則であってもよいが、用途によっては大きさ及び形状がほぼ同じものにしてもよい。
【００１７】
次に、上述の方法で入手した上記石塊状固体の表面に、上記塗料型断熱材の被膜３〜５を形成する方法を述べる。
図２は、上記セラミック被覆断熱体１の製造法の一例を概念的に示す図であり、網１１の上に原料となる上記複数の石塊状固体２を間隔をおいて載置し、該複数の石塊状固体２の表面に上述のセラミック・カバーＣＣ１００の塗料液をエアレス・スプレーガン１２を用いてスプレーし、該石塊状固体２の全表面に該塗料液を均一に塗布する。
上記複数の石塊状固体２は網１１の上に載置されているため、網１１の上方からだけでなく網１１の下方からも網１１の網目を通して石塊状固体２にセラミック・カバーＣＣ１００の塗料液をスプレーすることができる。
【００１８】
また、上記セラミック・カバーＣＣ１００の塗料液に水性の着色剤を混合することにより、上記石塊状固体の表面に希望する色の塗料型断熱材の被膜を形成することができるが、塗料型断熱材の被膜に着色させる代わりに塗料型断熱材の最外層を後述する着色したトップコートで覆ってもよい。
第１回目のスプレーにより形成される第１層目の被膜３は、プライマー代わりに塗布される０．１ｍｍ厚程度の被膜であり、該被膜３が完全に乾燥した後に、第２回目のスプレーにより第２層目の０．１５ｍｍ厚程度の被膜４が形成され、該被膜４が完全に乾燥した後に、第３回目のスプレーにより第３層目の０．１５ｍｍ厚程度の被膜５が形成される。
【００１９】
上記被膜を何層重ね塗りするか、あるいは上記被膜の厚さをどの程度にするかは、上記セラミック被覆断熱体１をどの用途に用いるかによって適宜決められ、層数が多くなるほど断熱効果は大きくなる。
また、上記被膜５を省いて上記セラミック被覆断熱体１の層数を２にした場合には、第２層目の被膜４は０．２５ｍｍ厚程度の方がよい。
上記塗料液が塗布される石塊状固体２の表面及び重ね塗りする層の表面は、乾燥していて、グリースや埃がついていないようにきれいにしておくのが適しており、作業温度は７℃〜２００℃が望ましいが−４２℃〜２００℃でも適応できる。
【００２０】
また、上記セラミック被覆断熱体１は、塗料型断熱材の被膜３〜５の最外層の被膜５の全表面を透明または着色したトップコート（図示せず）で覆ってもよく、トップコートで覆うと汚れが付着しにくくなる。
上記セラミック被覆断熱体１の最外層の被膜５の全表面をトップコート（図示せず）で覆うには、上記被膜３〜５を形成した場合と同様の方法が用いられ、上述のセラミック・カバーＣＣ１００の塗料液の代わりにトップコートとなる塗料液が用いられる。
また、トップコートとして光触媒または無光触媒を含んだ塗料保護膜を用いることができ、光触媒を含んだ塗料保護膜を設けた場合には光触媒の光化学反応により汚れや臭いがなくなり、無光触媒を含んだ塗料保護膜を設けた場合には光が当たらなくても汚れや臭いがなくなる。
【００２１】
上記方法で製造された上記セラミック被覆断熱体１は、上記石塊状固体２が主成分が二酸化ケイ素で内部に気泡を有する軽量な固体であるため、不燃性であると共に防音性や断熱性に優れているが、該石塊状固体２の全表面が塗料型断熱材の被膜３〜５で覆われて該石塊状固体内の気泡の空気が逃げないため、該石塊状固体の断熱効果と該塗料型断熱材の被膜による断熱効果とを寄せ集めた以上の断熱効果を奏することができる。
また、上記セラミック被覆断熱体１は、不燃性の断熱体である石塊状固体２がセラミックの一種である非結晶シリカ微粒子を多数有する塗料型断熱材の被膜３〜５で覆われているために不燃性であり、また、上記石塊状固体２の全表面に上記塗料型断熱材の被膜を複数層設けたシンプルな構造であるため、製造が容易で、安価に製造できる。
【００２２】
また、上記セラミック被覆断熱体１は、軽量な石塊状固体であるため、袋等に入れて簡単に現場まで運搬することができ、現場で該セラミック被覆断熱体で覆いたい箇所に敷設するだけなので、誰でも簡単に施工することができる。
また、上記セラミック被覆断熱体１は多くの用途に用いることができ、例えば、建物の屋上や床や床下等の断熱性や不燃性や防音性を必要とする箇所に用いたり、植木鉢、果樹園、公園等における植物の周りに敷設して、植物の周りの地面が冷却されたり地面中の水分が蒸発するのを極力防ぐことにより霜防止や水不足解消に役立てたり、浄水施設、池、ダム、養魚場、油タンク等の断熱や不燃性や水に浮く性質を必要とする箇所に用いたりすることができる。
【００２３】
また、上記構成を有するセラミック被覆断熱体は、主成分が二酸化ケイ素で内部に気泡を有する軽量な石塊状固体が非結晶シリカ微粒子を多数有する塗料型断熱材の被膜であるセラミック・カバーＣＣ１００の塗料膜で覆われているため、着色可能で、防錆性、防水性、耐薬品性、防カビ性、耐久性に優れている。
また、上記セラミック被覆断熱体１は、石塊状固体の主成分が自然界にある岩石の主成分と同じ二酸化ケイ素であり、また、上記塗料型断熱材の被膜は有害成分を含まないので環境に無害で廃棄が容易である。また、上記セラミック被覆断熱体１は、古くなったら回収して上記塗料型断熱材を再度塗布することで簡単にリサイクルすることができる。
【００２４】
図３は、大きさ及び形状が不規則な複数（多数）の上記セラミック被覆断熱体１を網目状袋体２１に収納して、全体として座布団状の集合セラミック被覆断熱体２０になるようにした場合の実施例を概念的に示したものである。
また、図４は、図３において網目状袋体を省いた場合の概念図であり、上記大きさ及び形状が不規則な複数（多数）のセラミック被覆断熱体１を、例えば、大きめ、中位、小さめのセラミック被覆断熱体として符号１ａ，１ｂ，１ｃで例示し、また、大きさ及び形状が不規則な多数のセラミック被覆断熱体１によって形成される複数（多数）の隙間を符号２２で例示することにより、上記集合セラミック被覆断熱体２０の概念を理解する際の手助けにしている。
【００２５】
上記実施例を更に詳述すると、上記網目状袋体２１は合成樹脂、天然繊維、金属等の素材で作られた網目状袋体であり、該網目状袋体２１の全表面は、上記非結晶シリカ微粒子を多数有する塗料型断熱材の被膜であるセラミック・カバーＣＣ１００の塗料膜で覆われ、また、該塗料型断熱材の最外層の被膜はトップコートで覆われている。
上記網目状袋体２１の表面に上記塗料型断熱材の被膜やトップコートを形成する方法は、上記石塊状固体２の表面に上記塗料型断熱材の被膜やトップコートを形成する方法と同様であり、上記網目状袋体２１の素材に何を用いるかは上記集合セラミック被覆断熱体２０の用途を考慮して適宜選択できる。
【００２６】
また、上記網目状袋体２１の一実施例としては、上記網目状袋体２１が上下２枚の矩形状の網２１ａ、２１ｂと該網２１ａ、２１ｂの周囲部２１ｃを閉じる複数の固定具２３とで構成され、上記周囲部２１ｃは強度が増大するように網目が密になっており、上記周囲部２１ｃを除く上記上下２枚の矩形状の網２１ａ、２１ｂの間に上記大きさ及び形状が不規則な複数（多数）のセラミック被覆断熱体１が収納され、上記周囲部２１ｃの複数箇所が上記固定具２３で固定されている。上記固定具２３としては、鋲、紐、またはその他の固定具を用いることができる。
【００２７】
上記座布団状の集合セラミック被覆断熱体２０は、上記周囲部２１ｃを除く上記上下２枚の矩形状の網２１ａ、２１ｂの間に上記大きさ及び形状が不規則な複数（多数）のセラミック被覆断熱体１が収納され、上記周囲部２１ｃは網が２枚平面状に重なって固定された状態になっているから、左右または上下の上記座布団状の集合セラミック被覆断熱体２０の上記平面状の周囲部２１ｃ同士を重ね合わせて両者を固定具２３や紐（図示せず）等で連結することができ、このことにより面積の大きい集合セラミック被覆断熱体とすることができる。
また、上記周囲部２１ｃに紐を連結し、上記座布団状の集合セラミック被覆断熱体２０を吊り下げることもできる。
【００２８】
しかも、上記複数（多数）のセラミック被覆断熱体１は軽量であり、また、上記平面状の周囲部２１ｃは網目が密になって強度が増大されているから、複数の上記座布団状の集合セラミック被覆断熱体２０を上記平面状の周囲部２１ｃを介して互いに連結したり、上記座布団状の集合セラミック被覆断熱体２０の上記平面状の周囲部２１ｃに紐を連結して吊り下げても強度の点で特に支障はなく、また、上記周囲部２１ｃは平面状であるため、上記周囲部２１ｃ同士を重ね合わせて連結しても美観を損なうことがない。
【００２９】
上記実施例では、上記大きさ及び形状が不規則な複数（多数）のセラミック被覆断熱体１を網目状袋体２１に収納して全体として座布団状の集合セラミック被覆断熱体２０になるように構成しているため、複数（多数）の石塊状のセラミック被覆断熱体をひとまとめにして取り扱うことができる集合セラミック被覆断熱体とすることができ、建築資材、防火資材、植物の周りに敷設する資材、ダムや養魚場や油タンク等で水や油に浮かせておく資材等の多くの用途に用いることができる。
また、上記座布団状の集合セラミック被覆断熱体２０は、複数（多数）の隙間２２が形成されるため通気性があり、そのため、断熱性に加えて通気性も必要とする用途にも適している。
【００３０】
また、上述のように、上記複数の座布団状の集合セラミック被覆断熱体２０を上記平面状の周囲部２１ｃを介して互いに連結して面積の大きい集合セラミック被覆断熱体とすることができ、また、この連結作業は現場において簡単にできるため、上記座布団状の集合セラミック被覆断熱体２０は連結してない状態で運搬することができる。
また、該座布団状の断熱体２０を建築物の壁材として用いる場合には、上記方法で連結した複数の座布団状の断熱体２０を、建築物の内壁及び外壁の間に上方から吊すようにして収納することができる。
【００３１】
また、上記座布団状の断熱体２０を建物の屋上や床や床下等に敷設したり、果樹園や公園等における植物の周りに敷設する場合には、上記座布団状の集合セラミック被覆断熱体２０を互いに連結することなしに、あるいは互いに連結して敷設することができ、上記集合セラミック被覆断熱体２０は上記多数の石塊状のセラミック被覆断熱体１をひとまとめにして取り扱うことができるため作業が楽である。
また、本願発明に係るセラミック被覆断熱体は上記実施例に限定されるものではなく、例えば、網目状袋体としては図３に図示した網目状袋体２１以外のものも発明の精神に逸脱しない範囲で用いることができる。また、上記座布団状の集合セラミック被覆断熱体２０とは厳格な意味での座布団形状ではなく、座布団のように面積に対し厚み方向の高さがあまり高くないものであれば他の形状（例えば、直方体）のものでもよい。
【図面の簡単な説明】
【００３２】
【図１】本発明に係るセラミック被覆断熱体の一実施例を概念的に示す断面図である。
【図２】同、セラミック被覆断熱体の製造法の一例を概念的に示す図である。
【図３】同、複数のセラミック被覆断熱体を網目状袋体に収納した状態の一実施例を概念的に示す平面図である。
【図４】図３において網目状袋体を省いた場合の概念図である。
【符号の説明】
【００３３】
１              セラミック被覆断熱体
２              石塊状固体
３〜５          塗料型断熱材の被膜
１１            網
１２            エアレス・スプレーガン
２０            集合セラミック被覆断熱体
２１            網目状袋体
２１ａ、２１ｂ  矩形状の網
２１ｃ          矩形状の網の周囲部
２２            隙間
２３            固定具
【図１】
2005132674.tif 000003
【図２】
2005132674.tif 000004
【図３】
2005132674.tif 000005
【図４】
2005132674.tif 000006